(57)【要約】      （修正有）【課題】里山や耕地に生息している小動物や生物類は採食や繁殖のためすみなれた土地を移動するとき、農業用水路や側溝水路に行当り転落することがよくあり、これを救出するための誘導水路を提供する。【解決手段】水路を形成する側溝ブロックＥに誘導水路を形成するためＬ字形ブロックＢを添接して誘導水路を形成し、この誘導水路に水路工事現場で採取した排土と乾燥粘土を混合し、これによって脱出用の傾斜面の盛土を形成する。これにより転落した小動物や生物はすみなれた土の臭いや感触を覚えており、これに誘われて誘導水路内に入り脱出が可能となる。【選択図】図１
2009280952.tif 000002
【特許請求の範囲】
【請求項１】
側溝ブロックの対向する両側壁及び底面を切除して空隙部を形成し、該切除部の両側壁の外側部にＬ字形ブロックの短辺部分を当接して側溝ブロック側壁外側とＬ字形ブロックの内側部によって誘導水路を形成し、該誘導水路底部から出口にかけて施工現場発生土と乾燥粘土の混合土によって、盛土を行い、展圧して傾斜面を形成し、底部空隙部にも前記盛土を行って底面を形成することを特徴とした生物移動水路側壁。
【請求項２】
接続して埋設する側溝ブロックを間隙を設けて設置し、該間隙のある両側壁の外側部にＬ字形ブロックの短辺部分を当接して、Ｌ字形ブロックの内側と側溝ブロックの側壁外側によって誘水通路を形成し、該誘導水路底部の底部から出口にかけて施工現場発生土と乾燥粘土の混合土によって、盛土を行い、展圧して傾斜面を形成し、底面空隙部にも前記盛土を行い底面を形成することを特徴とした生物移動水路側壁。
【請求項３】
側溝ブロックの片側側壁及びこれに相当する底面を切除して空隙部を形成し、該切除部の側壁外側にＬ字形ブロックの短辺部を当接して、Ｌ字形ブロックの内側と側溝ブロックの側壁外側によって誘導水路を形成し、該誘導水路の底部から出口にかけて施工現場発生土と乾燥粘土の混合土によって、盛土を行い、展圧して傾斜面を形成し、底部空隙部にも前記盛土を行って底面を形成することを特徴とした生物移動水路側壁。
【請求項４】
誘導水路を形成するＬ字形ブロックＢにおいてＬ字形の長辺に支持板（３）を設けた変形Ｌ字形ブロックＢ１を用いたことを特徴とした請求項１，２又は３に記載の生物移動水路側溝。
【請求項５】
生物移動底面の盛土面に布メッシュ、不織布、植生マット等の植物親和性物を敷設することを特徴とした請求項１，２又は３に記載の生物移動水路側壁。
【請求項６】
Ｌ字形ブロックによって形成された誘導水路の側壁内面に凹凸面を設けて布メッシュ、不織布等の小片を接着させることを特徴とした請求項１，２又は３に記載の生物移動水路側壁。
【発明の詳細な説明】
【技術分野】
【０００１】
本発明は山野や荒地あるいは耕地に生息している小動物や生物等が目的をもって移動している際に、農業用水路や道路側溝等に行当り、又は遮られたとき、一旦水路に落下転落しても這い上ることが出来ることで新しい移動地に移ることのできる生物移動水路側溝に関する。    
【背景技術】
【０００２】
農業用水路や道路側溝等に誤って転落した小動物等の脱出をうながすための水路等についてはいくつかの技術が開発されている。そしてこれらは側溝脇に脱出用の側溝を設けたもので多くは段状か坂道によって形成されている。
【特許文献１】実開平０６−７９８８３号公報
【発明の開示】
【発明が解決しようとする課題】
【０００３】
しかし、これら脱出用の側溝はコンクリート２次製品で階段をつくるか傾斜道を作っているが水量が多いときなどは仲々這い上れない。また傾斜面に土を敷いて植生を図る脱出用の水路も見られるが、前記のように水量が多いときには、土も流されて手掛りもなくなる。そして転落した小動物が、このような側路に救われるのはきわめて偶然にすぎない。
【課題を解決するための手段】
【０００４】
小動物や生物は、このような水路に誤って転落することは少く、その殆どは環境が適さなくなったことや、採食や生殖の問題で移動を余儀なくされていることにある。発明者はこの点に鑑み鋭意研究を続けた結果本発明に到達したものであって、本発明は、従来からの脱出用の水路に加えて、水路底や這い上る傾斜面に現場発生土を用いて盛土をし、これのみでは水流による流出のおそれがあるため、乾燥粘土を混合して搗き固めて水路底面や傾斜面を形成し、防水層を作る。また周辺に植生を促し、その周辺環境に適応することにある。
【０００５】
このように本発明において現場発生土を用いることは、この地に生息している小動物や生物が残した臭いや接触環境に頼るため水中にあったとしても、この位置の存在に気付くことが出来て、誘導水路に導かれ這い上る可能性が高い。
【０００６】
さらにこの誘導効果を高めるために誘導水路に布片や植生マットを配置することによって、この効果は更に高められる。そして植生マットは盛土の吸い出し防止になる。また先の盛土に使用する現場発生土と乾燥粘土との混合比は１：１が適当である。
【発明の効果】
【０００７】
本発明は上述のように水路に誘導水路を設けて、底面及び傾斜面に盛土して現場発生土を用いることによって、水路に落ちた小動物や生物が、この棲みなれた臭いに引かれ、環境を感じて誘導水路にたどりつき這い上ることができ、小動物や生物の移動が行えるため、生物環境を破壊することなく自然を守ることができるという自然保護に卓越した作用効果を奏する。
【発明を実施するための最良の形態】
【０００８】
添付図面により、本考案を実施するための最良の形態を説明すると、図１は、本発明の生物移動水路側溝の誘導水路（１）の平面図であって、Ａは水路を形成する側溝ブロックを示し、Ｂは誘導水路（１）を形成するＬ字形ブロックである。
図２は誘導水路（１）の断面図を示し、図３は水路を形成する側溝ブロックＡ，Ａの接続部分で、両ブロックＡ，Ａ間に誘導水路（１）に通じる空間（２）を設ける。図４は水路の片側に誘導水路（１）を設けた平面図を示している。即ち、図１は請求項１及び２の平面図であり、図４は請求項３の平面図を示している。また誘導水路（１）の勾配は目的
に合せて自由に設定できる。
【実施例１】
【０００９】
添付図面の図１及び図２により本発明の請求項１に記載の実施例を説明すると、既設側溝Ｅは荒地と耕地の境に敷設されている農業用の水路であって幅員は９０ｃｍのＵ字形コンクリートブロックである。この側溝ブロックＥの接続部分８０ｃｍを両側壁及び底面を切除して空隙部分を形成する。そして、この空隙部分の側部の両側にＬ字形コンクリート
ブロックＢを配置する。この配置手段はＬ字形ブロックの短辺部（１）を側溝ブロックＥの切欠部に当接させるように密着配置すると、Ｌ字形ブロックの長辺側の内側と既設ブロックＥの外側の間で誘導水路（１）が形成される。
【００１０】
この形成された誘導水路（１）の既設側溝内と誘導水路Ｂの接続部には平面状に、さらに誘導水路（１）の平面部から出口側Ｄにかけては傾斜面を形成するための盛土をする。
【００１１】
この盛土は、水路施工現場で掘出した現場発生土と乾燥粘土を１：１の割合で混合した混合土を搗き固めて形成する。このとき現場発生土を使用する理由は、この周辺に生息している小動物、生物等が臭いや環境等に親しみ易いためであり乾燥粘土を使用することは防水性を保つことによる。そしてこの表面に植生マットを敷設して完成させる。この植生
マットは盛土の吸い出し防止材となる。
【実施例２】
【００１２】
請求項２に記載の実施例で、新設の水路形成により実施例であって図１及び図２を参照する。施工に当って使用する側溝ブロックＥは幅６０ｃｍ、高さ１２０ｃｍ、長さ３ｍのＵ字形ブロックである。水路の総延長は約９００ｍであって、その中間に２ヶ所の誘導水路を設ける。水路の形成に当っては、誘導水路設置場所のＵ字形ブロックＥに対して次の
ブロックＥ１を敷設する際に間隙を設けて設置する。この間隙を６０ｃｍとし、この間隙空間を請求項１の切除することによって形成した空隙部分とし、以下請求項１の工法と同様にＬ字形ブロックＢを両側に設置して誘導水路Ｂを形成し、盛土を施工して完成させる。
【実施例３】
【００１３】
請求項３に記載の実施例で、側溝ブロックＥの片側側壁端及びこれに相当する底面を８０ｃｍ長さ切除することによって空隙部が形成される。そしてこの空隙部の側面にＬ字形コンクリートブロックを配置する。このＬ字形ブロックの配置手段は、前記実施例と同様に図示するようにＬ字形コンクリートブロックの短辺部を側溝ブロックＥの切欠部に当接させて配置し、すると、Ｌ字形ブロックの長辺部の内側と側溝ブロックＥの外側との間に誘導水路（１）が形成される。しかる後この誘導水路Ｂに前記各実施例同様に盛土を施工することによって既設側溝による水路の右岸或は左岸に本発明の誘導（脱出）水路が形成される。そしてこのような誘導水路を水路の上流又は下流に数ヶ所間隔を置いて設置することによって小動物・生物の移動を援助する効果は現われる。
【００１４】
図５に示すブロックは変形のＬ字形コンクリートブロックＢ１で、このブロックＢ１はＬ字形の長辺の底部に支持板（３）を設けたブロックである。このＬ字形ブロックＢ１は誘導水路として構成した際には、この支持板（３）を盛土の下に設けることによって盛土の崩れを防ぐ役目をなし、常に水量の多い水路や水流の激しい水路などに必要に応じて使
用して効果をあげる。
【００１５】
請求項４及び５の実施例については、特に図示していないが、誘導水路の傾斜面や側壁表面に水路に親和性のよい布やメッシュ、不織布等の小片を敷設することや垂下懸吊させて小動物がつかまりやすくするか、生物が付着しやすくすることとする。
【産業上の利用可能性】
【００１６】
上述の如く本発明は小動物や生物の移動をし易いように考えているため、自然の生態系を損うことなく環境を保全できるため環境保護のため、本発明の水路の利用価値は大きい。
【図面の簡単な説明】
【００１７】
【図１】実施例１，２の誘導水路の平面図
【図２】誘導水路の断面図
【図３】誘導水路の側面図
【図４】実施例３の誘導水路の平面図
【図５】特殊Ｌ形ブロックの斜視図
【図１】
2009280952.tif 000003
【図２】
2009280952.tif 000004
【図３】
2009280952.tif 000005
【図４】
2009280952.tif 000006
【図５】
2009280952.tif 000007
【手続補正書】
【提出日】平成19年12月28日(2007.12.28)
【手続補正１】
【補正対象書類名】明細書
【補正対象項目名】０００８
【補正方法】変更
【補正の内容】
【０００８】  添付図面により、本考案を実施するための最良の形態を説明すると、図１は、本発明の生物移動水路側溝の誘導水路（１）の平面図であって、Ａは水路を形成する側溝ブロックを示し、Ｂは誘導水路（１）を形成するＬ字形ブロックである。
図３は誘導水路（１）の断面図を示し、図４は水路を形成する側溝ブロックＡ，Ａの接続部分で、両ブロックＡ，Ａ間に誘導水路（１）に通じる空間（２）を設ける。図２は水路の片側に誘導水路（１）を設けた平面図を示している。即ち、図１は請求項１及び２の平面図であり、図２は請求項３の平面図を示している。また誘導水路（１）の勾配は目的に合せて自由に設定できる。そしてＡ１を誘導水路（１）の勾配にあわせて除却することも可能である。
【手続補正２】
【補正対象書類名】図面
【補正対象項目名】全図
【補正方法】変更
【補正の内容】
【図１】
2009280952.tif 000008
【図２】
2009280952.tif 000009
【図３】
2009280952.tif 000010
【図４】
2009280952.tif 000011
【図５】
2009280952.tif 000012
【手続補正３】
【補正対象書類名】明細書
【補正対象項目名】００１７
【補正方法】変更
【補正の内容】
【００１７】
【図１】  実施例１，２の誘導水路の平面図
【図２】  誘導水路の断面図
【図３】  誘導水路の側面図
【図４】  実施例３の誘導水路の平面図
【図５】  特殊Ｌ形ブロックの斜視図